(57)【要約】  【課題】  ＧＰＳを使用しないで、徘徊する人が持つ徘徊無線機の現在位置を検索することが可能な徘徊位置検索システムを提供する。  【解決手段】  徘徊する人に予め徘徊無線機１を持たせておき、指令局４から位置確認データを周期的に送信し、基地局２を介して受信した徘徊無線機１が応答データを送信し、基地局２が自分の基地局番号を付加して指令局４に送信することで、指令局４が徘徊無線機１の現在位置を検索することを特徴とする。【選択図】  図１
2005311649.tif 000002
【特許請求の範囲】
【請求項１】
徘徊する人に予め徘徊無線機を持たせておき、指令局から位置確認データを周期的に送信し、基地局を介して受信した前記徘徊無線機が応答データを送信し、前記基地局が自分の基地局番号を付加して前記指令局に送信することで、前記指令局が前記徘徊無線機の現在位置を検索することを特徴とする徘徊位置検索システム。
【発明の詳細な説明】
【技術分野】
【０００１】
本発明は、徘徊する人が持つ徘徊無線機の現在位置を検索する徘徊位置検索システムに関するものである。
【背景技術】
【０００２】
従来の技術において、徘徊位置探索機能を有する無線機はあったが、その無線機はＧＰＳ（Ｇｌｏｂａｌ  Ｐｏｓｉｔｉｏｎｉｎｇ  Ｓｙｓｔｅｍ）を使用している（文献公知発明に係るものではない）。
【発明の開示】
【発明が解決しようとする課題】
【０００３】
上記のように、従来の無線機ではＧＰＳを使用するため、費用がかかる課題がある。
【０００４】
本発明の目的は、ＧＰＳを使用しないで、徘徊する人が持つ徘徊無線機の現在位置を検索することが可能な徘徊位置検索システムを提供することにある。
【課題を解決するための手段】
【０００５】
本発明は、徘徊する人に予め徘徊無線機を持たせておき、指令局から位置確認データを周期的に送信し、基地局を介して受信した前記徘徊無線機が応答データを送信し、前記基地局が自分の基地局番号を付加して前記指令局に送信することで、前記指令局が前記徘徊無線機の現在位置を検索することを特徴とする徘徊位置検索システムである。
【発明の効果】
【０００６】
本発明によれば、ＧＰＳを使用しないで、徘徊する人が持つ徘徊無線機の現在位置を検索することが可能な徘徊位置検索システムを得ることができる。
【発明を実施するための最良の形態】
【０００７】
図１は本発明の実施の形態による徘徊位置検索システムの構成を示す図である。
【０００８】
図１において、徘徊する人に徘徊無線機１を持たせておき、徘徊無線機１は基地局２と徘徊無線機１−基地局２間ＭＳＫデータ通信３をする。複数の各基地局２は基地局エリアがその一部で重なる位置に配置されている。
【０００９】
基地局２は指令局４と基地局２−指令局４間ＭＳＫデータ通信５をする。指令局４は表示器６と指令局４−表示器６間ＲＳ２３２Ｃ通信７をする。またパトロール送受信器８を持った人が基地局エリアを巡回しながら徘徊無線機１とパトロール送受信器８−徘徊無線機１間ＭＳＫデータ通信９をする。
【００１０】
本実施の形態による徘徊位置検索システムは、機能１：徘徊探索位置情報の確保と、機能２：緊急ＳＷによる緊急発報機能と、機能３：パトロールデータ受信による警報音出力を有する。以下、各機能について説明する。
【００１１】
１．機能１：徘徊探索位置情報の確保
図２は図１における徘徊探索位置情報の確保を示す動作フロー図である。
【００１２】
指令局４は、各基地局２に周期的に位置確認データ２０１を送信し、基地局２は徘徊無線機１に対し、位置確認データ２０２を送信する。受信した徘徊無線機１は応答データ２０３を送信する。
【００１３】
応答データ２０３を受信した基地局２は、自分の基地局番号（位置情報）と受信した徘徊無線機番号を指令局４に対し、応答データ２０４として送信する。指令局４は各基地局２から受信した応答データ２０４を判断し、受信した基地局番号から徘徊位置を検索し、徘徊無線機番号，徘徊位置を、徘徊位置情報データ２０５を生成する。
【００１４】
ここで、指令局４における徘徊位置情報データ２０５の生成について説明する。指令局４は記憶部を有しており、基地局設置時に、基地局番号とそれに対応する基地局の位置情報を、基地局管理テーブルとして、記憶部に予め記憶しておく。
【００１５】
指令局４は、まず、基地局２から受信した応答データ２０４に含まれる基地局番号から、基地局管理テーブルを参照することにより、基地局２の位置情報を取得する。次に、応答データ２０４に含まれる無線機番号、基地局２の位置情報を、それぞれ、徘徊無線機番号、徘徊位置として、徘徊位置情報２０５を生成する。
【００１６】
そして指令局４は、生成した徘徊位置情報２０５を表示器６に送信し、受信した表示器６は徘徊無線機番号，徘徊位置を表示する。
【００１７】
指令局４は周期的に徘徊無線機１に対し、位置確認を行う。通信データのぶつかりについては、指令局４が主導権を持ち徘徊無線機番号毎に要求を送信し、各基地局２は時間等で送信タイミングを切り分け送信することでぶつかりは生じない。
【００１８】
２．機能２：緊急スイッチによる緊急発報
図３は図１における緊急スイッチによる緊急発報を示す動作フロー図である。
【００１９】
緊急事態発生時、徘徊無線機１を持つ人が徘徊無線機１の緊急スイッチを押すことで、徘徊無線機１は基地局２に対し、緊急発報データ３０１を送信する。受信した基地局２は指令局４に対し、基地局番号，受信した徘徊無線機番号を付加して緊急発報データ３０２を送信する。
【００２０】
指令局４は各基地局２からの受信した緊急発報データ３０２を判断し、表示器６に徘徊位置，徘徊無線機番号，徘徊位置，緊急発報を、表示器６に緊急徘徊位置情報データ３０３として送信し、受信した表示器６は徘徊無線機番号，徘徊位置，緊急発報を表示する。
【００２１】
指令局４は表示器６に緊急徘徊位置情報データ３０３として送信するとき、緊急警報３０４を基地局４を介して徘徊無線機１に送信することで、徘徊無線機１は緊急警報を鳴らし周りに緊急事態を知らせる。
【００２２】
３．機能３：パトロールデータ受信による警報音出力
図４は図１におけるパトロールデータ受信による警報音出力を示す動作フロー図である。
【００２３】
徘徊無線機１が基地局２からのデータを受信できない位置に徘徊し、位置が確認できない場合に対し、パトロール送受信器８を持って巡回を行う人がパトロール送受信器８の緊急スイッチを押すことで、パトロール送受信器８はパトロール発報４０１を徘徊無線機１に対し送信する。
【００２４】
徘徊無線機１はパトロール発報４０１を受信した時に、警報音を鳴らし位置の確認を音で判断するとともに、パトロール送受信器８に応答データ４０２を送信し、パトロール送受信器８は警報音を鳴らし周りに緊急事態を知らせる。
【００２５】
本発明の実施の形態によれば、従来技術のようなＧＰＳを使用しないで、徘徊する人が持つ徘徊無線機の現在位置を検索することが可能な徘徊位置検索システムを得ることができる。また用途に応じて、３機能（徘徊探索位置情報の確保、緊急スイッチによる緊急発報、パトロールデータ受信による警報音出力）を使いわけることができ、多くの要求が満足でき、運用を安全に敏速にすることが可能である。
【図面の簡単な説明】
【００２６】
【図１】本発明の実施の形態による徘徊位置検索システムの構成を示す図である。
【図２】図１における徘徊探索位置情報の確保を示す動作フロー図である
【図３】図１における緊急スイッチによる緊急発報を示す動作フロー図である。
【図４】図１におけるパトロールデータ受信による警報音出力を示す動作フロー図である。
【符号の説明】
【００２７】
１：徘徊無線機、２：基地局、３：徘徊無線機１−基地局２間ＭＳＫデータ通信、４：指令局、５：基地局２−指令局４間ＭＳＫデータ通信、６：表示器、７：指令局４−表示器６間ＲＳ２３２Ｃ通信、８：パトロール送受信器、９：パトロール送受信器８−徘徊無線機１間ＭＳＫデータ通信。
【図１】
2005311649.tif 000003
【図２】
2005311649.tif 000004
【図３】
2005311649.tif 000005
【図４】
2005311649.tif 000006